(57)【要約】【課題】手釣りにおいて、釣糸をもつれさせることなく素早く仕掛けを回収することができ、且つ、魚の当たり或いは引き合いを確実に体感することができる手釣り用補助具を提供する。【解決手段】手釣り用補助具１０は、本体部１２と指当て部１４とにより構成されている。本体部１２は、リールシート３０を有する。このリールシート３０に釣用リールが保持される。本体部１２は、４つの固定ベルト２４〜２７を有する。この固定ベルトによって本体部１２が釣人の前腕に固定される。指当て部１４は、ガイド６１とハンドル６３とを有する。ガイド６１は、釣用リールから引き出された釣糸を挿通するものであり、指当て部１４の先端に取り付けられている。釣人の前腕に本体部１２が装着された状態でハンドル６３が把持されると、指当て部１４が釣人の人差し指に配置される。【選択図】図１
2009268389.tif 000002
【特許請求の範囲】
【請求項１】
釣人の指、手又は腕に装着可能な手釣り用補助具であって、
先端に釣糸を通すガイドが設けられ、元部に釣糸を巻き取り可能な釣用リールを保持するリール保持具が設けられている手釣り用補助具。
【請求項２】
釣人に把持されるハンドルを備える請求項１に記載の手釣り用補助具。
【請求項３】
当該手釣り用補助具を釣人の指、手又は腕に固定する固定具を備える請求項１又は２に記載の手釣り用補助具。
【請求項４】
釣人の親指を挿通する挿通部を備える請求項１から３のいずれかに記載の手釣り用補助具。
【請求項５】
上記リール保持部の取付部位が剛体である請求項１から４のいずれかに記載の手釣り用補助具。
【請求項６】
釣人の人差し指に装着される第１装具と、
釣人の前腕の橈側部位を覆うように装着される第２装具とを備える請求項１から５のいずれかに記載の手釣り用補助具。
【請求項７】
上記第１装具は、上記第２装具と連続している請求項６に記載の手釣り用補助具。
【発明の詳細な説明】
【技術分野】
【０００１】
本発明は、手釣りをする際に釣人の釣り動作を補助するための手釣り用補助具に関する。
【背景技術】
【０００２】
魚釣りにおいては、ロッドやリールを用いずに、専ら釣糸と仕掛けのみを用いて行う手釣りと称される釣法が知られている。手釣りは、ロッドやリールを用いた釣法に比べて、魚の当たりや引き合いをダイレクトに感じることができるというメリットや、手返しが速いというメリットがあるため、従来から人気がある。
【０００３】
手釣りの際、釣人は、釣糸と仕掛けが巻き掛けられた手釣り用木枠を手にして釣船に乗り込む。釣船が釣り場に到着すると、釣人は、仕掛けの釣り針に釣り餌を取り付けて、これを海中へ投入し、釣糸を指で引っ掛けるように支えつつ、仕掛けを所定のポイントまで沈めて、当たりを待つ。当たりがあったときは、釣人は、両方の腕を交互に動かして釣糸を手繰り寄せる。この際、釣人は、手繰り寄せた釣糸をもつれないように丁寧にループ状にしてデッキに置いていく。
【０００４】
しかしながら、手釣り初心者にとって、釣糸を手繰り寄せつつ、手繰り寄せた釣糸をもつれないように丁寧にループ状に巻き置くことは至難の業である。手繰り寄せた釣糸がもつれてしまったり、もつれることをおそれて手繰り寄せ速度を落とせば、手返しが遅くなり、釣果を伸ばすことができなくなる。また、手釣りでは、両腕を動かして釣糸を手繰り寄せるため、ロッドやリールを用いた釣りに比べて体力を消耗しやすいという問題がある。
【０００５】
一方、特許文献１には、手釣りを行う際に、電動巻き取り部（要するに電動リール）を用いて釣糸を巻き取る釣糸巻取機が開示されている。この釣糸巻取機を用いれば、釣糸をもつれさせることなく素早く、しかもさほど体力を消耗せずに容易に巻き取ることができる。
【０００６】
また、特許文献２には、電動で回転するロータを備えた手繰り寄せ補助装置が開示されている。この手繰り寄せ補助装置は、クランプによって船体の船縁に取り付けられて用いられる。釣人は、釣糸をロータに巻き掛けることで、実釣中であっても釣糸の手繰り寄せ動作が補助される。
【０００７】
【特許文献１】実用新案登録第３１２８６４１号公報
【特許文献２】特開２００５−２０４５２２号公報
【発明の開示】
【発明が解決しようとする課題】
【０００８】
しかしながら、特許文献１に記載の釣糸巻取機は、釣人に代わって電動リールが釣糸を巻き上げるものであるため、釣人は、当たりがあった後に魚との引き合いを楽しむことができない。しかも、上記釣糸巻取機は一定速度で釣糸を巻き上げるものであるため、従来の手釣りの如く魚の引きに合わせて釣糸を手繰り寄せることができない。したがって、必要以上に強度が大きい釣糸や仕掛けを用意しなければならないという問題がある。
【０００９】
また、特許文献２に記載の手繰り寄せ補助装置を用いて釣糸を手繰り寄せた場合も、釣人は、手繰り寄せ時における魚との引き合いを楽しむことができない。また、ロータが釣糸を巻き上げるものではないため、釣人は、ロータが手繰り寄せた釣り糸をデッキ上にもつれないように丁寧に巻き置く必要がある。したがって、手繰り寄せ補助装置を用いたとしても、手釣り初心者にとって、釣糸の取り扱いが面倒であるという問題を解消することができない。もちろん、ロータの回転速度を落とせば、手釣り初心者であっても、釣糸をもつれないようにデッキ上に巻き置くことができるが、その反面、手返しが遅くなる。
【００１０】
そこで、本発明は上記問題に鑑みてなされたものであり、その目的とするところは、手釣りにおいて、釣糸をもつれさせることなく素早く仕掛けを回収することができ、且つ、魚の当たり或いは引き合いを確実に体感することができる手釣り用補助具を提供することにある。
【課題を解決するための手段】
【００１１】
上記目的が達成されるため、本発明に係る手釣り用補助具は、以下の構成を備える。
【００１２】
(1)  請求項１に係る発明の構成及び作用効果
【００１３】
請求項１に係る発明は、釣人の指、手又は腕に装着可能な手釣り用補助具である。この手釣り用補助具は、釣糸を通すガイドと、釣糸を巻き取り可能な釣用リールを保持するリール保持具とを備える。ガイドは、手釣り用補助具の先端に設けられている。リール保持具は、手釣り用補助具の元部に設けられている。
【００１４】
釣人は、船上から手釣りをする際に、本発明の手釣り用補助具を釣人の利き手或いは腕に装着する。そして、リール保持具に釣用リール（例えば両軸受リール）を装着する。釣人は、釣用リールに巻かれた釣糸を引き出してそれをガイドに通し、その後、釣糸の先端に重りや釣り針などで構成された仕掛けを取り付ける。
【００１５】
釣船が釣り場に到着すると、釣人は、仕掛けの釣り針に釣り餌を取り付けて、これを海中へ投入する。この際、釣用リールのスプールがフリーにされると、スプールから釣糸が引き出される。これにより、釣人は、仕掛けを所定のポイントまで沈めることができる。当たりがあったときは、釣人は、釣糸からガイド及び第１装具を通じて魚信を感じることができる。手釣り用補助具は、釣人の指、手又は腕に装着されているため、釣人は、魚の当たりが小さくても確実に体感することができる。
【００１６】
釣人が釣用リールを巻き上げると、釣糸が釣用リールのスプールに巻き取られる。したがって、釣人は、釣糸をもつれさせることなく素早く仕掛けを回収することができる。また、魚がかかった場合は、釣人は、釣用リールを巻き上げることにより、魚を素早く取り込むことができる。この場合も、釣糸は釣用リールのスプールに巻き取られるため、釣糸をもつれさせることはない。また、魚を取り込む際に、釣人は常に釣糸を通じて魚との引き合いを楽しむことができる。
【００１７】
(2)  請求項２に係る発明の構成及び作用
【００１８】
請求項２に係る手釣り用補助具は、釣人に把持されるハンドルを備える。
【００１９】
これにより、釣人は、ハンドルを握ることにより、手指に対して安定した状態で手釣り用補助具を装着することができる。
【００２０】
(3)  請求項３に係る発明の構成及び作用
【００２１】
請求項３に係る手釣り用補助具は、当該手釣り用補助具を釣人の指、手又は腕に固定する固定具を備える。
【００２２】
これにより、釣人の指、手又は腕に対して手釣り用補助具を固定することができ、指、手又は腕に対する取り付けがたを抑制することができる。
【００２３】
(4)  請求項４に係る発明の構成及び作用
【００２４】
請求項４に係る手釣り用補助具は、釣人の親指を挿通する挿通部を備える。
【００２５】
この構成であれば、親指が挿通部に挿通されることにより、指、手又は腕に対して手釣り用補助具が確実にフィットする。また、釣人は、手釣り用補助具を安定した状態で装着することができる。
【００２６】
(5)  請求項５に係る発明の構成及び作用
【００２７】
請求項５に係る手釣り用補助具は、上記リール保持部の取付部位が剛体である。
【００２８】
これにより、釣用リールのハンドルを回転させたとしても、釣用リールがぐらつくことがない。そのため、巻き取りを円滑に行うことが可能となる。
【００２９】
(6)  請求項６に係る発明の構成及び作用
【００３０】
請求項６に係る手釣り用補助具は、釣人の人差し指に装着される第１装具と、釣人の前腕の橈側部位を覆うように装着される第２装具とを備える。
【００３１】
これにより、釣人は、橈骨を上にし尺骨を下にした自然な姿勢で手釣り用補助具を装着することができる。
【００３２】
(7)  請求項７に係る発明の構成及び作用
【００３３】
請求項７に係る手釣り用補助具では、上記第１装具は、上記第２装具と連続している。
【００３４】
これにより、釣人の手指から手首、そして前腕に至る部位が装具で覆われるように装着されるため、手釣り用補助具を安定的に装着することができる。
【発明を実施するための最良の形態】
【００３５】
以下、適宜図面が参照されつつ、好ましい実施形態に基づいて本発明が詳細に説明される。なお、以下の実施形態は本発明が具体化された一例にすぎず、本発明の要旨を変更しない範囲で、各実施形態が適宜変更され得ることは言うまでもない。
【００３６】
［第１実施形態］
以下、図１から図４が参照されて、本発明の第１実施形態に係る手釣り用補助具１０が詳細に説明される。ここに、図１は、釣人の腕に手釣り用補助具１０が装着された状態を示す斜視図である。図２は、手釣り用補助具１０の構成を示す斜視図である。図３は、手釣り用補助具１０の本体部１２の構成を示す斜視図である。図４は、図２における切断面IV−IVの断面図である。
【００３７】
手釣り用補助具１０は、主として、船上から手釣りをする際に用いられる釣り道具（タックル）である。この手釣り用補助具１０は、図１に示されるように、釣人の右腕に装着されて用いられることにより、釣人の手釣り動作を補助する。以下に、手釣り補助具１０を構成する各部が説明される。なお、本実施形態では、釣人の右腕に装着される手釣り補助具１０について説明されるが、言うまでもなく、釣人の左腕に装着されるように手釣り補助具１０が構成されていてもかまわない。
【００３８】
図１に示されるように、手釣り用補助具１０は、大別すると、釣人の右前腕に装着される本体部１２（本発明の元部、第２装具の一例）と、少なくとも釣人の右手の人差し指に装着される指当て部１４（本発明の第１装具の一例）とを備える。この手釣り用補助具１０は、本体部１２及び指当て部１４に共通する構成要素であるベース２０を備える。以下、ベース２０において、本体部１２側の部分を本体側ベース２１と称し、指当て部１４側の部分を指当側ベース２２と称する。
【００３９】
本体部１２は、本体側ベース２１と、リールシート３０（本発明のリール保持具の一例）と、４つの固定ベルト２４，２５，２６，２７とにより構成されている。本体側ベース２１は、釣人の手首から肘に至る前腕を覆うものである。本体側ベース２１は、前腕に装着された際に、前腕にフィットし易いように幅方向１７に湾曲した形状に形成されている。本実施形態では、本体部１２が前腕に装着されると、図１に示されるように、本体側ベース２１によって、前腕における橈側（親指側）の部位（図１において紙面上側の部位）、具体的には、橈側の概ね半分が覆われる。
【００４０】
ベース２０は、合成樹脂を射出成形することによって得られる。本実施形態では、ベース２０は、ＡＢＳ樹脂、ナイロン、ポリエチレン等の軟弾性樹脂フィルムで構成されている。このベース２０は、後述される厚肉部３９を除く部分の厚さが概ね１．０〜５．０ｍｍに設定される。そのため、ベース２０の本体側ベース２１は、幅方向１７に対して可撓性を有し、しかも、本体側ベース２１を幅方向１７へ撓ませた状態で長手方向１６に対して容易に撓まない程度の剛性を有する。これにより、釣人は、ベース２０を幅方向へ撓ませることにより本体側ベース２１を前腕にフィットさせることができる。なお、合成樹脂の種類やベース２０の肉厚などは、ベース２０に必要とされる強度や可撓性、剛性などを考慮して適宜選択される要素であり、これら各要素は本実施形態のものに限定されない。
【００４１】
また、図示されていないが、本体側ベース２１は、シリコンゴム皮膜などの緩衝材を有する。緩衝材は、本体側ベース２１の裏面、つまり、前腕に当接される面に設けられている。これにより、本体部１２を釣人の前腕に装着したときに、前腕の皮膚に対する刺激が抑制される。
【００４２】
本体側ベース２１には厚肉部３９が設けられている。この厚肉部３９に、リールシート３０が取り付けられている。厚肉部３９は、本体側ベース２１の表面２１Ａの概ね中央部であって、釣人の前腕における橈側部位に対応する位置に配設されている。厚肉部３９は、表面２１Ａから突出している。厚肉部３９は、本体側ベース２１の長手方向に長い矩形状に形成されている。厚肉部３９の厚さは、本体側ベース２１の厚さよりも大きく設定されている。したがって、厚肉部３９においては、その周囲の本体側ベース２１よりも剛性が大きく、極端に大きい外力が加えられない限り厚肉部３９の形状が変形しない剛体となっている。具体的には、厚肉部３９は、リールシート３０に保持された釣用リールが操作された際に受ける力によって変形しない程度の剛性を有していればよい。本実施形態では、厚肉部３９の厚さが概ね３．０〜５．０ｍｍの範囲内で、ベース２０よりも厚い寸法に設定される。なお、厚肉部３９に代えて、ベース２０にステンレスなどの金属製プレートを固定してもよい。このような金属製プレートにリールシート３０が取り付けられる。この場合、金属製プレートの厚さは、概ね０．５〜１．０ｍｍに設定される。
【００４３】
なお、本実施形態では、ベース２０及び厚肉部３９を合成樹脂で構成することとしたが、例えば、ベース２０を撥水加工が施された厚手の布地等で構成し、このベース２０に合成樹脂からなるプレート状の厚肉部３９を接合する構成を採用することも可能である。
【００４４】
リールシート３０は、釣用リールを保持するためのものである。リールシート３０は、レール４１と、レール４１の指当て部１４側に固定された固定フード４３と、レール４１に沿ってスライド可能に設けられたスライドフード４４と、スライドフード４４に設けられたスナップカバー４６とにより構成されている。レール４１が厚肉部３９に固定され、このレール４１に固定フード４３及びスライドフード４４が取り付けられ、スライドフード４４にスナップカバー４６が取り付けられることによって、厚肉部３９にリールシート３０が取り付けられる。釣用リールは、次の要領で、リールシート３０に取り付けられる。すなわち、まず、釣用リールの足（リールフット）の一端が固定フード４３に挿入される。そして、スナップカバー４６が開放された状態でスライドフード４４がスライドされてリールフットの他端がスライドフード４４で覆われる。その後、スナップカバー４６が閉じられることにより、レール４１に対してスライドフード４４が固定される。これにより、釣用リールがリールシート３０に固定される。なお、リールシート３０は、上述の構成に限られず、釣用リールの取り付けが可能なものであれば如何なる構成のものであっても採用可能である。
【００４５】
本体側ベース２１には、４つの固定ベルト２４，２５，２６，２７が取り付けられている。固定ベルト２４，２５，２６，２７は、前腕に対して本体側ベース２１を固定するためのものである。固定ベルト２４，２５は、本体側ベース２１において、リールシート３０よりも指当て部１４側に設けられている。固定ベルト２４は、本体側ベース２１の幅方向１７の一方の端縁に取り付けられており、固定ベルト２５は、本体側ベース２１の幅方向１７の他方の端縁に取り付けられている。これらの固定ベルト２４，２５は対をなしており、図３に示されるように、長手方向１６において同じ位置に取り付けられている。
【００４６】
固定ベルト２６，２７は、本体側ベース２１において、リールシート３０よりも指当て部１４とは反対側に設けられている。固定ベルト２６は、本体側ベース２１の幅方向１７の一方の端縁に取り付けられており、固定ベルト２７は、本体側ベース２１の幅方向１７の他方の端縁に取り付けられている。これらの固定ベルト２６，２７は対をなしており、図３に示されるように、長手方向１６において同じ位置に取り付けられている。
【００４７】
図３に示されるように、固定ベルト２４は、帯状に形成されている。固定ベルト２４の一端が本体側ベース２１の端縁に樹脂製のカシメ３２で固定されている。本体側ベース２１に対する固定ベルト２４の固定手段は、カシメ３２に限られず、接着或いは溶着などの固定手段を採用することも可能である。固定ベルト２４の表面２４Ａには、ループ状の微小繊維が密集して立設されたループ部３６が設けられている。また、固定ベルト２４の裏面２４Ｂには、先端がフック状に形成された微小突起が密集して立設されたフック部３７が設けられている。なお、固定ベルト２５，２６，２７は固定ベルト２４と同じ構成であるため、各図において、固定ベルト２４の各構成に付した符号を固定ベルト２５，２６，２７に付すことにより、その詳細な説明を省略する。
【００４８】
このように固定ベルト２４，２５，２６，２７が構成されているため、本体側ベース２１が前腕の橈側部位にあてがわれた後に、固定ベルト２４及び固定ベルト２５が前腕の尺側（小指側）に回されて互いに重ね合わされると、その重合部が面ファスナーとして機能する。すなわち、固定ベルト２４のループ部３６（又はフック部３７）と固定ベルト２５のフック部３６（又はループ部３６）とが係合する。また、同様にして、固定ベルト２６及び固定ベルト２７が前腕の尺側に回されて重ね合わされると、固定ベルト２６のループ部３６（又はフック部３７）と固定ベルト２７のフック部３６（又はループ部３６）とが係合する。これにより、本体側ベース２１が釣人の前腕に固定される。なお、本実施形態では、面ファスナー機能によって固定ベルト２４と固定ベルト２５とを結合し、固定ベルト２６と固定ベルト２７とを結合することとしたが、例えば、バックル式の係合手段を採用してもかまわない。
【００４９】
指当て部１４は、指当側ベース２２と、ガイド６１（本発明のガイドの一例）と、ハンドル６３（本発明のハンドルの一例）とにより構成されている。指当側ベース２２は、釣人の手指に装着されて、人差し指から手首に至る部位を覆うものである。指当側ベース２２は、上記部位にフィットし易いように、上記部位に合わせて幅方向１７の寸法が設定されており、また、幅方向１７に湾曲した形状に形成されている（図４参照）。本実施形態では、指当て部１４が装着されると、図１に示されるように、指当側ベース２２によって、人差し指から手首に至る部位における橈側（親指側）の部位（図１において紙面上側の部位）が覆われる。
【００５０】
指当側ベース２２は、ベース２０の一部を構成する部分であり、ベース２０が射出成形されることによって、本体側ベース２１と一体に成形される。したがって、図２に示されるように、指当側ベース２２と本体側ベース２１とは連続している。なお、図示されていないが、指当側ベース２２は、本体側ベース２１と同様に、シリコンゴム皮膜などの緩衝材を有する。緩衝材は、指当側ベース２２の裏面、つまり、皮膚に当接される面に設けられている。
【００５１】
指当側ベース２２の先端、つまり、人差し指の根本から指先へ向かう方向の端部にガイド６１が設けられている。換言すると、ガイド６１は、手釣り用補助具１０の先端に設けられている。ガイド６１は、リールシート３０に取り付けられた釣用リールから引き出された釣糸（ライン）を通すためのものである。ガイド６１は、主として、チタン合金等の金属で構成されたフレーム６７と、シリコンカーバイド（ＳｉＣ）で構成されたガイドリング６９とを有する。フレーム６７は、釣糸が挿通されるリング部６６と、リング部６６から延びる脚６５とを有する。リング部６６は、フレーム６７の厚み方向に貫通する孔を有する。ガイド６１は、リング部６６の孔の内周面にガイドリング６９が嵌め込まれることにより構成される。
【００５２】
ガイド６１は、フレーム６７の脚６５が指当側ベース２２の先端に設けられた取付座６８に支持されることにより、指当側ベース２２の先端から外方へ突出するように取り付けられる。本実施形態では、指当側ベース２２に１つのガイド６１が取り付けられているが、例えば、リールシート３０から指当側ベース２２のガイド６１に至る部位に複数のガイドが設けられていてもよい。また、ガイド６１に代えて、例えば、指当側ベース２２に一体に形成された中通しガイドを採用することも可能である。
【００５３】
指当側ベース２２にはハンドル６３が設けられている。ハンドル６３は、釣人によって把持される部分である。ハンドル６３は、指当側ベース２２の一部を構成する部分であり、ベース２０が射出成形されることによって、指当側ベース２２と一体に成形される。ハンドル６３は、図２及び図４に示されるように、指当側ベース２２の長手方向１６の中央付近から下方へ延出されている。
【００５４】
図２及び図４に示されるように、ハンドル６３は、湾曲部７０と把持部７２とを有する。湾曲部７０は、指当側ベース２２の一方の端縁７４から延出されている。ここで、端縁７４は、図１に示されるように指当て部１２が装着された状態で、人差し指の腹側に配置される側の指当側ベース２２の端縁である。なお、図１には、釣人の人差し指から手首に至る部位の橈側が指当側ベース２２によって覆われるようにして指当て部１２が釣人の手に装着された様子が示されている。また、湾曲部７０は、人差し指の腹部分の湾曲面にフィットするように湾曲形状に形成されている。把持部７２は、湾曲部７０から釣人の手の尺側（小指側）へ延出されている。この把持部７２は、釣人が把持し易いように、概ね円柱状に形成されている。
【００５５】
上述の如く構成された手釣り用補助具１０は、以下のようにして釣人の腕に装着されて手釣り動作を補助するタックルとして用いられる。
【００５６】
釣人は、船上から手釣りをする際に、手釣り用補助具１０を釣人の右腕に装着する。具体的には、まず、本体側ベース２１を前腕の橈側部位にあてがった状態で固定ベルト２４，２５を相互に係合し、固定ベルト２６，２７を相互に係合する。これにより、固定ベルト２４，２５，２６，２７によって本体部１２が釣人の前腕に取り付けられる。本体部１２が前腕に取り付けられた状態で、釣人が人差し指の腹部をハンドル６３の湾曲部７０にあてがいつつハンドル６３の把持部７２を握ると、指当側ベース２２が釣人の人差し指の橈側部位に配置される。これにより、指当て部１４が釣人の人差し指から手首に至る部位に装着される。
【００５７】
手釣り用補助具１０が釣人の右腕に装着されると、続いて、釣用リールがリールシート３０に保持される。なお、本実施形態では、釣用リールとして両軸受リールが用いられる。釣人は、釣用リールのスプールに巻かれた釣糸を引き出して、それをガイド６１に通す。その後、ガイド６１を挿通された釣糸の先端に重りや釣り針などで構成された仕掛けを取り付けることで、手釣りの準備が整う。
【００５８】
釣船が釣り場に到着すると、釣人は、仕掛けの釣り針に釣り餌を取り付けて、これを海中へ投入する。この際、釣用リールのスプールをフリーにしておくことで、スプールに巻かれた釣糸が仕掛けの重りに引っぱられるようにして引き出される。仕掛けが所定のポイントに到達すると、釣人は、スプールを固定して、魚の当たりを待つ。魚が釣り餌をつつくか、或いは魚が釣り針にかかると、釣糸に魚の当たりが伝達される。釣糸を通じて伝達された当たりは、釣糸からガイド及び指当て部１４を通じて釣人の指や手、腕にほぼダイレクトに伝達される。したがって、釣人は、魚の当たりが小さくても確実に感じ取ることができる。また、本発明の手釣り用補助具１０を用いた場合、釣人は、釣糸を指に直接持つ必要はない。そのため、長時間手釣りをしても指が痛くなることもない。
【００５９】
仕掛けの釣り針に魚がかかった場合、釣人は、釣用リールを他方の手で巻き上げることにより、釣糸を巻き取りつつ、仕掛けを回収することができる。釣糸は釣用リールに巻き取られるため、釣人は、釣糸を両方の腕で手繰り寄せる必要がない。したがって、釣糸をもつれないように丁寧にループ状にしてデッキに置くという煩わしい作業を行う必要がなく、ひいては、釣糸がもつれる心配もない。また、仕掛けの回収時において、釣人は、ガイド６１及び指当て部１４を通じて魚の引きをほぼダイレクトに感じることができるため、魚の当たりがあってから実際に引き上げられるまでの間、常に、釣人は、従来の手釣りと同じ感覚で魚との引き合いを楽しむことができる。
【００６０】
また、本実施形態では、ハンドル６３が指当て部１４に設けられているため、釣人はこのハンドル６３を握ることで、手釣り用補助具１０を安定した状態で保持することができる。
【００６１】
また、手釣り用補助具１０は、釣人の腕において橈側部位を覆うように装着されるため、釣人は、前腕の橈骨を上にし尺骨を下にした自然な姿勢で手釣りを行うことができる。
【００６２】
［第２実施形態］
以下、図５から図７が参照されて、本発明の第２実施形態に係る手釣り用補助具１００が詳細に説明される。ここに、図５は、釣人の腕に手釣り用補助具１００が装着された状態を示す斜視図である。図６は、手釣り用補助具１００の指当て部１４の構成を示す斜視図である。図７は、本発明の第２実施形態に係る手釣り用補助具１００の変形例を示す斜視図である。この第２実施形態に係る手釣り用補助具１００は、指当て部１４が固定ベルト１０２，１０３，１０４及び親指挿通部１０５を有している点と、指当て部１４がハンドル６３を備えていない点において、上述の第１実施形態の構成と相違する。以下、第１実施形態とは異なる構成についてのみ説明され、第２実施形態において第１実施形態の構成と共通する構成については、図５から図７の各図において同符号を付すことによりその説明が省略される。
【００６３】
図５及び図６に示されるように、指当て部１４には固定ベルト１０２，１０３，１０４（本発明の固定具の一例）が設けられている。固定ベルト１０２，１０３，１０４は、手首近傍において指当側ベース２２を固定するためのものである。固定ベルト１０２、１０３は、指当側ベース２２において、本体側ベース２１側に設けられている。固定ベルト１０２は、指当側ベース２２の幅方向１７の一方の端縁１０８に取り付けられており、固定ベルト１０３、指当側ベース２２の幅方向１７の他方の端縁１０９に取り付けられている。これらの固定ベルト１０２，１０３は対をなしており、図６に示されるように、長手方向１６において同じ位置に取り付けられている。固定ベルト１０４は、指当側ベース２２の先端付近に設けられている。この固定ベルト１０４は、指当側ベース２２の幅方向１７の一方の端縁１１０に取り付けられている。なお、固定ベルト１０２，１０３，１０４は、上述の固定ベルト２４と同様に構成されているため、固定ベルト２４に付された符号を図５及び図６に付すことによりその詳細な説明が省略される。
【００６４】
また、指当て部１４には、親指挿通部１０５（本発明の挿通部の一例）が設けられている。親指挿通部１０５は、手釣り用補助具１００が釣人の腕に装着された際に、その親指を通して指当て部１４を手指や前腕に対して安定させるためのものである。親指挿通部１０５は、指当側ベース２２の一部を構成する部分であり、ベース２０が射出成形されることによって、指当側ベース２２と一体に成形される。親指挿通部１０５は、図６に示されるように、筒部１０６を有する。筒部１０６は、両側が開口されている。筒部１０６に釣人の親指が挿通されると、筒部１０６によって親指が人差し指に対して位置決めされる。
【００６５】
本実施形態に係る手釣り用補助具１００には、ハンドル６３が設けられていないが、固定バンド１０２，１０３，１０４と、親指挿通部１０５とを用いて指当て部１４を釣人の人差し指に装着することができる。具体的には、本体部１２を釣人の前腕に取り付ける際に、事前に釣人の親指を親指挿通部１０５の筒部１０６に挿通させておく。そして、上述した要領で本体部１２を釣人の前腕に取り付けた後に、固定ベルト１０２，１０３を相互に係合する。また、固定ベルト１０４を指当側ベース２２越しに人差し指の周囲に巻くことにより、固定ベルト１０４のループ部３６とフック部３７とを係合する。このようにして手釣り用補助具１００が釣人の腕に装着されることにより、釣人の手や人差し指に対して指当て部１４をフィットさせることができ、指当て部１４を安定した状態で保持することができる
【００６６】
［実施形態の変形例］
なお、第２実施形態では、指当て部１４にハンドル６３が設けられていない構成について説明されたが、もちろん、固定ベルト１０２，１０３，１０４及び親指挿通部１０５に加えて、ハンドル６３を指当て部１４に設けてもかまわない。
【００６７】
また、第２実施形態では、本体部１２と指当て部１４とが一体に構成された例について説明されたが、図７に示されるように、本体部１２と指当て部１４とを別構成とし、これらをファスナーなどの締結具１１２で連結させる構成を採用することも可能である。本体部１２と指当て部１４とを別構成とすることによって、手釣り用補助具１００をコンパクトに収納することができる。
【００６８】
また、上述の第１実施形態及び第２実施形態では、両軸受リールを保持するべく、本体部１２において、釣人の前腕の橈側部位に対応する位置にリールシート３０が設けられた構成となっているが、スピニングリールを保持するべく、本体部１２を釣人の前腕の尺側部位を覆うように構成し、本体部１２において、釣人の前腕の尺側部位に対応する位置にリールシートを設ける構成としてもかまわない。
【００６９】
なお、上述した各実施形態は本発明の一例にすぎず、本発明の要旨を変更しない範囲で、実施形態を適宜変更することが可能である。
【図面の簡単な説明】
【００７０】
【図１】図１は、釣人の腕に手釣り用補助具１０が装着された状態を示す斜視図である。
【図２】図２は、手釣り用補助具１０の構成を示す斜視図である。
【図３】図３は、手釣り用補助具１０の本体部１２の構成を示す斜視図である。
【図４】図４は、図２における切断面IV−IVの断面図である。
【図５】図５は、釣人の腕に手釣り用補助具１００が装着された状態を示す斜視図である。
【図６】図６は、手釣り用補助具１００の指当て部１４の構成を示す斜視図である。
【図７】図７は、本発明の第２実施形態に係る手釣り用補助具１００の変形例を示す斜視図である。
【符号の説明】
【００７１】
１０，１００・・・手釣り用補助具
１２・・・本体部
１４・・・指当て部
２０・・・ベース
２４、２５，２６，２７・・・固定ベルト
３０・・・リールシート
６１・・・ガイド
６３・・・ハンドル
７０・・・湾曲部
７２・・・把持部
１０２，１０３，１０４・・・固定ベルト
１０５・・・親指挿通部
【図１】
2009268389.tif 000003
【図２】
2009268389.tif 000004
【図３】
2009268389.tif 000005
【図４】
2009268389.tif 000006
【図５】
2009268389.tif 000007
【図６】
2009268389.tif 000008
【図７】
2009268389.tif 000009